(57)【要約】【課題】管理者の手を煩わせることなく、簡易に、管理者が室内にいる間だけ自動的に電子機器や設備の利用が可能な管理システムを提供する。【解決手段】管理システムにおいて入退場管理装置は、利用者が施設に入退場する際に、利用者が所持する情報記憶媒体から情報を読み取る。入退場管理装置は、情報記憶媒体から読み取った情報に入場権限情報が含まれている場合、当該情報記憶媒体を所持する利用者の入場を許可する。また、入退場管理装置は、情報記憶媒体から読み取った情報に管理権限情報が含まれている場合、施設内の管理対象装置の利用を許可する利用許可情報を管理対象装置へ送信する。管理対象装置は、利用許可情報を受信すると、管理対象装置を利用可能な状態となるように制御する。これによれば、管理者が施設に入室した場合、自動的に管理対象装置が利用可能となる。【選択図】図５
2008046724.tif 000002
【特許請求の範囲】
【請求項１】
利用者が所持する情報記憶媒体を使用して、施設内に設置された管理対象装置の利用を管理する管理システムであって、
前記管理システムは、前記管理対象装置と、前記利用者による前記施設への入退場を管理する入退場管理装置とがネットワークを介して通信可能に接続されており、
前記情報記憶媒体は、各利用者に応じて、前記施設への入場を許可する入場権限情報と、前記利用者が管理者であることを示す管理権限情報とを有しており、
前記入退場管理装置は、
入場の際に、前記情報記憶媒体から情報を読み取る情報読取手段と、
前記情報読取手段が読み取った情報に前記入場権限情報が含まれている場合に、前記利用者の前記施設への入場を可能とする入場制御手段と、
前記情報読取手段が読み取った情報に前記管理権限情報が含まれている場合に、前記利用者を管理者と特定する管理者特定手段と、
前記管理者特定手段が前記利用者を管理者と特定した場合に、前記管理対象装置の利用を許可する利用許可情報を前記管理対象装置へ送信する利用許可情報送信手段と、を備え、
前記管理対象装置は、
前記入退場管理装置から前記利用許可情報を受信する利用許可情報受信手段と、
前記利用許可情報受信手段が受信した利用許可情報に基づいて、前記管理対象装置が利用可能となるように制御する利用可能制御手段と、を備えることを特徴とする管理システム。
【請求項２】
前記入退場管理装置は、
退場の際に、前記情報記憶媒体から情報を読み取る退場情報読取手段と、
前記退場情報読取手段が読み取った情報に前記管理権限情報が含まれている場合に、前記利用者を管理者と特定する退場管理者特定手段と、
前記退場管理者特定手段が前記利用者を管理者と特定した場合に、前記管理対象装置の利用を停止する利用停止情報を前記管理対象装置へ送信する利用停止情報送信手段と、をさらに備え、
前記管理対象装置は、
前記入退場管理装置から前記利用停止情報を受信する利用停止情報受信手段と、
前記利用停止情報を受信した場合に、前記管理対象装置が利用不可能となるように制御する利用不可能制御手段と、を備えることを特徴とする請求項１に記載の管理システム。
【請求項３】
利用者の識別情報が記憶された情報記憶媒体を使用して、施設内に設置された管理対象装置の利用を管理する管理システムであって、
前記管理システムは、前記管理対象装置と、前記利用者による前記施設への入退場を管理する入退場管理装置とがネットワークを介して通信可能に接続されており、
前記入退場管理装置は、
入場を許可する利用者を示す識別情報である入場権限識別情報を記憶する入場権限情報記憶手段と、
管理者である利用者を示す識別情報である管理権限識別情報を記憶する管理権限情報記憶手段と、
入場の際に、前記情報記憶媒体から前記識別情報を読み取る入場識別情報読取手段と、
前記入場識別情報読取手段が読み取った識別情報と、前記入場権限識別情報とを照合し、一致した場合に前記利用者の前記施設への入場を可能とする入場制御手段と、
前記入場識別情報読取手段が読み取った識別情報と、前記管理権限識別情報とを照合し、一致した場合に前記利用者を管理者と特定する入場管理者特定手段と、
前記入場管理者特定手段が前記利用者を管理者と特定した場合に、前記管理対象装置の利用を許可する利用許可情報を前記管理対象装置へ送信する利用許可情報送信手段と、を備え、
前記管理対象装置は、
前記入退場管理装置から前記利用許可情報を受信する利用許可情報受信手段と、
前記利用許可情報受信手段が受信した利用許可情報に基づいて、前記管理対象装置が利用可能となるように制御する利用可能制御手段と、を備えることを特徴とする管理システム。
【請求項４】
前記入退場管理装置は、
退場の際に、前記情報記憶媒体から前記識別情報を読み取る退場識別情報読取手段と、
前記退場識別情報読取手段が読み取った識別情報と、前記管理権限識別情報とを照合し、一致した場合に前記利用者を管理者と特定する退場管理者特定手段と、
前記退場管理者特定手段が前記利用者を管理者と特定した場合に、前記管理対象装置の利用を停止する利用停止情報を前記管理対象装置へ送信する利用停止情報送信手段と、をさらに備え、
前記管理対象装置は、
前記入退場管理装置から前記利用停止情報を受信する利用停止情報受信手段と、
前記利用停止情報を受信した場合に、前記管理対象装置が利用不可能となるように制御する利用不可能制御手段と、を備えることを特徴とする請求項３に記載の管理システム。
【請求項５】
前記管理権限情報記憶手段は、前記管理権限識別情報と、前記管理者のレベルとを対応付けて記憶しており、
前記入退場管理装置は、
前記管理者のレベルと、前記管理対象装置において利用を許可する許可範囲とを対応づけた許可範囲情報を記憶する許可範囲情報記憶手段と、
前記管理者特定手段が前記利用者を管理者と特定した場合に、一致した識別情報に基づいて前記管理権限情報を参照することで、前記管理者のレベルを特定するレベル特定手段と、
前記レベル特定手段が特定した管理者のレベルに基づいて前記許可範囲情報を参照することで、前記許可範囲を特定する許可範囲特定手段と、をさらに備え、
前記利用許可情報送信手段は、前記許可範囲特定手段が特定した許可範囲内での利用を許可する利用許可情報を前記管理対象装置へ送信することを特徴とする請求項３又は４に記載の管理システム。
【請求項６】
前記管理対象装置は、
前記利用停止情報受信手段が前記利用停止情報を受信した場合に、その時点で前記管理対象装置が利用されているか否かを判定する利用判定手段と、
前記利用判定手段により前記管理対象装置が利用されていると判定された場合に、前記管理対象装置が利用されていることを示す利用中情報を前記入退場管理装置へ送信する利用中情報送信手段と、をさらに備え、
前記入退場管理装置は、
前記管理対象装置から前記利用中情報を受信する利用中情報受信手段と、
前記利用中情報を受信した場合に、前記退場管理者特定手段が管理者と特定した利用者の前記施設からの退場を不可能とする退場制御手段と、をさらに備え、
前記利用不可能制御手段は、前記停止情報を受信した場合であって、前記利用判定手段により前記管理対象装置が利用されていないと判定された場合に、前記管理対象装置が利用不可能となるように制御することを特徴とする請求項４又は５に記載の管理システム。
【請求項７】
利用者が所持する情報記憶媒体を使用して、施設内に設置された管理対象装置の利用を管理するサーバであって、
前記管理対象装置及び前記利用者による前記施設への入退場を管理する入退場管理装置とネットワークを介して通信可能に接続されており、
入場を許可する利用者を示す識別情報である入場権限識別情報を記憶する入場権限情報記憶手段と、
管理者である利用者を示す識別情報である管理権限識別情報を記憶する管理権限情報記憶手段と、
前記入退場管理装置から、入場の際に前記情報記憶媒体から読み取った前記識別情報を取得する入場識別情報取得手段と、
前記入場識別情報取得手段が取得した識別情報と、前記入場権限識別情報とを照合し、一致した場合に前記利用者の前記施設への入場を可能とする入場可能情報を前記入退場管理装置へ送信する入場可能情報送信手段と、
前記入場識別情報取得手段が取得した識別情報と、前記管理権限識別情報とを照合し、一致した場合に前記利用者を管理者と特定する入場管理者特定手段と、
前記入場管理者特定手段が前記利用者を管理者と特定した場合に、前記管理対象装置が利用可能となるように制御する利用可能制御手段と、を備えることを特徴とするサーバ。
【請求項８】
利用者が所持する情報記憶媒体を使用して、施設内に設置された管理対象装置の利用を管理するコンピュータにより実行されるプログラムであって、
前記管理対象装置及び前記利用者による前記施設への入退場を管理する入退場管理装置とネットワークを介して通信可能に接続されており、
入場を許可する利用者を示す識別情報である入場権限識別情報を記憶する入場権限情報記憶手段、
管理者である利用者を示す識別情報である管理権限識別情報を記憶する管理権限情報記憶手段、
前記入退場管理装置から、入場の際に前記情報記憶媒体から読み取った前記識別情報を取得する入場識別情報取得手段、
前記入場識別情報取得手段が取得した識別情報と、前記入場権限識別情報とを照合し、一致した場合に前記利用者の前記施設への入場を可能とする入場可能情報を前記入退場管理装置へ送信する入場可能情報送信手段、
前記入場識別情報取得手段が取得した識別情報と、前記管理権限識別情報とを照合し、一致した場合に前記利用者を管理者と特定する入場管理者特定手段、
前記入場管理者特定手段が前記利用者を管理者と特定した場合に、前記管理対象装置が利用可能となるように制御する利用可能制御手段、として前記コンピュータを機能させることを特徴とするプログラム。
【発明の詳細な説明】
【技術分野】
【０００１】
本発明は、入室が管理された施設内の部屋などに備えられた電子機器や設備などの管理対象物の利用を管理する管理システムに関する。
【背景技術】
【０００２】
所定の室内にある電子機器や設備をオペレータが利用する際、情報漏洩防止等の観点から、管理者が当該室内にいることが条件となる場合がある。この場合、オペレータが電子機器や設備を利用するためには、「入室した管理者が電子機器や設備を利用可能な状態とする」、「電子機器や設備を利用する際に、オペレータが管理者に申し出て、管理者が当該電子機器等を利用可能な状態とする」、「電子機器や設備を利用する際に、オペレータが管理者から当該電子機器等を利用可能にする媒体を受け取り、オペレータが当該電子機器等を利用可能な状態とする」などの方法がとられている。同様に、電子機器や設備の利用を停止させるためには、「管理者が電子機器や設備を利用停止の状態にする」などの方法がとられている。
【０００３】
しかし、従来の方法では、電子機器や設備を利用可能な状態又は利用停止の状態にするため、管理者自らがその都度対応する必要がある。そのため、電子機器や設備の数が多い場合、管理者に多大な負担がかかるという問題が生じていた。
【０００４】
一方、従来、使用権限を有しない第三者によるコンピュータの不正使用を防止するためのセキュリティ技術として、ＩＣカード等の情報記憶媒体を用いたものが既に知られている。その一例では、コンピュータが使用される際に、予め本人を認証するための識別情報を記憶させたＩＣカード等の情報記憶媒体から識別情報を読み取り、その読み取った識別情報に基づいた照合処理により本人認証を行い、その認証が成立した場合にコンピュータの使用を可能とする（例えば、特許文献１及び２を参照）。
【０００５】
【特許文献１】特開２００３−３０１５５号公報
【特許文献２】特開２００４−７０５４２号公報
【発明の開示】
【発明が解決しようとする課題】
【０００６】
本発明は、以上の点に鑑みてなされたものであり、情報記憶媒体を使用して、管理者の手を煩わせることなく、簡易に、管理者が室内にいる間だけ自動的に電子機器や設備の利用が可能となる管理システムを提供することを課題とする。
【課題を解決するための手段】
【０００７】
本発明の１つの観点では、利用者が所持する情報記憶媒体を使用して、施設内に設置された管理対象装置の利用を管理する管理システムであって、前記管理システムは、前記管理対象装置と、前記利用者による前記施設への入退場を管理する入退場管理装置とがネットワークを介して通信可能に接続されており、前記情報記憶媒体は、各利用者に応じて、前記施設への入場を許可する入場権限情報と、前記利用者が管理者であることを示す管理権限情報とを有しており、前記入退場管理装置は、入場の際に、前記情報記憶媒体から情報を読み取る情報読取手段と、前記情報読取手段が読み取った情報に前記入場権限情報が含まれている場合に、前記利用者の前記施設への入場を可能とする入場制御手段と、前記情報読取手段が読み取った情報に前記管理権限情報が含まれている場合に、前記利用者を管理者と特定する管理者特定手段と、前記管理者特定手段が前記利用者を管理者と特定した場合に、前記管理対象装置の利用を許可する利用許可情報を前記管理対象装置へ送信する利用許可情報送信手段と、を備え、前記管理対象装置は、前記入退場管理装置から前記利用許可情報を受信する利用許可情報受信手段と、前記利用許可情報受信手段が受信した利用許可情報に基づいて、前記管理対象装置が利用可能となるように制御する利用可能制御手段と、を備える。
【０００８】
上記のように構成された管理システムは、管理権限を有する者が施設内にいる間だけ自動的に管理対象装置の利用を可能とするものである。施設としては、例えばビルなどの建物、そのフロア、部屋などが挙げられる。また、管理対象物としては、例えばパソコン、プリンタなどの電子機器、電子制御機能を有するタイムレコーダ、キャビネット、ロッカーなどの設備、及び、建物内部の部屋などが挙げられる。本システムでは、利用者は情報記憶媒体を所持し、当該情報記憶媒体から読み取った情報に基づいて管理対象物の利用状態を管理している。情報記憶媒体としては、例えばＩＣカードなど、情報の読み取りが可能な媒体が使用される。
【０００９】
具体的に、本システムでは、施設の出入口近傍に入退場管理装置が設けられる。入退場管理装置は、利用者が施設に入退場する際に、利用者が所持する情報記憶媒体から情報を読み取る。情報記憶媒体には、利用者に応じて予め入場を許可する入場権限情報や管理対象装置を管理する管理権限情報が記憶されている。入退場管理装置は、情報記憶媒体から読み取った情報に入場権限情報が含まれている場合、出入口のドアを開ける等によって、当該情報記憶媒体を所持する利用者の入場を許可する。一方、入退場管理装置は、情報記憶媒体から読み取った情報に入場権限情報が含まれていない場合、出入口のドアを開けず、入場を許可しない。また、入退場管理装置は、情報記憶媒体から読み取った情報に管理権限情報が含まれている場合、施設内の管理対象装置の利用を許可する利用許可情報を管理対象装置へ送信する。
【００１０】
施設内には、１つ又は複数の管理対象装置が設けられている。管理対象装置は、入退場管理装置から利用許可情報を受信すると、管理対象装置を利用可能な状態となるように制御する。これによれば、管理者が施設に入室した場合、自動的に管理対象装置が利用可能となる。よって、管理対象装置を利用可能とするための特別な操作を行う必要がなくなり、管理者の負担を軽減させることができる。
【００１１】
上記管理システムの一態様では、前記入退場管理装置は、退場の際に、前記情報記憶媒体から情報を読み取る退場情報読取手段と、前記退場情報読取手段が読み取った情報に前記管理権限情報が含まれている場合に、前記利用者を管理者と特定する退場管理者特定手段と、前記退場管理者特定手段が前記利用者を管理者と特定した場合に、前記管理対象装置の利用を停止する利用停止情報を前記管理対象装置へ送信する利用停止情報送信手段と、をさらに備え、前記管理対象装置は、前記入退場管理装置から前記利用停止情報を受信する利用停止情報受信手段と、前記利用停止情報を受信した場合に、前記管理対象装置が利用不可能となるように制御する利用不可能制御手段と、を備える。
【００１２】
上記のように構成された管理システムにおいて、入退場管理装置は、退場の際に情報記憶媒体から読み取った情報に管理権限情報が含まれている場合、退場する利用者は管理者であると判断し、施設内の管理対象装置の利用を停止する利用停止情報を管理対象装置へ送信する。管理対象装置は、入退場管理装置から利用停止情報を受信すると、管理対象装置を利用不可能な状態となるように制御する。これによれば、管理者が施設から退場した場合、自動的に管理対象装置が利用不可能となる。よって、管理対象装置を利用不可能とするための特別な操作を行う必要がなくなり、管理者の負担を軽減させることができる。
【００１３】
本発明の別の観点では、利用者の識別情報が記憶された情報記憶媒体を使用して、施設内に設置された管理対象装置の利用を管理する管理システムであって、前記管理システムは、前記管理対象装置と、前記利用者による前記施設への入退場を管理する入退場管理装置とがネットワークを介して通信可能に接続されており、前記入退場管理装置は、入場を許可する利用者を示す識別情報である入場権限識別情報を記憶する入場権限情報記憶手段と、管理者である利用者を示す識別情報である管理権限識別情報を記憶する管理権限情報記憶手段と、入場の際に、前記情報記憶媒体から前記識別情報を読み取る入場識別情報読取手段と、前記入場識別情報読取手段が読み取った識別情報と、前記入場権限識別情報とを照合し、一致した場合に前記利用者の前記施設への入場を可能とする入場制御手段と、前記入場識別情報読取手段が読み取った識別情報と、前記管理権限識別情報とを照合し、一致した場合に前記利用者を管理者と特定する入場管理者特定手段と、前記入場管理者特定手段が前記利用者を管理者と特定した場合に、前記管理対象装置の利用を許可する利用許可情報を前記管理対象装置へ送信する利用許可情報送信手段と、を備え、前記管理対象装置は、前記入退場管理装置から前記利用許可情報を受信する利用許可情報受信手段と、前記利用許可情報受信手段が受信した利用許可情報に基づいて、前記管理対象装置が利用可能となるように制御する利用可能制御手段と、を備える。
【００１４】
上記のように構成された管理システムは、管理権限を有する者が施設内にいる間だけ自動的に管理対象装置の利用を可能とするものである。具体的に、本システムでは、施設の出入口近傍に入退場管理装置が設けられる。入退場管理装置は、利用者が施設に入退場する際に、利用者が所持する情報記憶媒体から情報を読み取る。情報記憶媒体には、各利用者を識別する識別情報が記憶されている。また、入退場管理装置は、施設へ入場することができる入場権限を有する利用者の識別情報である入場権限識別情報と、管理対象装置を管理することができる管理権限を有する利用者の識別情報である管理権限識別情報とを予め記憶している。入退場管理装置は、入場の際に情報記憶媒体から読み取った識別情報と、入場権限識別情報とが一致した場合、利用者は入場権限を有すると判断し、出入口のドアを開ける等によって入場を許可する。一方、入退場管理装置は、情報記憶媒体から読み取った識別情報と、入場権限識別情報とが一致しない場合、出入口のドアを開けず、入場を許可しない。さらに、入退場管理装置は、情報記憶媒体から読み取った識別情報と、管理権限識別情報とが一致した場合、利用者は管理権限を有すると判断し、施設内の管理対象装置の利用を許可する利用許可情報を管理対象装置へ送信する。管理対象装置は、入退場管理装置から利用許可情報を受信すると、管理対象装置を利用可能な状態となるように制御する。これによれば、管理者が施設に入場した場合、自動的に管理対象装置が利用可能となる。よって、管理対象装置を利用可能とするための特別な操作を行う必要がなくなり、管理者の負担を軽減させることができる。
【００１５】
上記管理システムの一態様では、前記入退場管理装置は、退場の際に、前記情報記憶媒体から前記識別情報を読み取る退場識別情報読取手段と、前記退場識別情報読取手段が読み取った識別情報と、前記管理権限識別情報とを照合し、一致した場合に前記利用者を管理者と特定する退場管理者特定手段と、前記退場管理者特定手段が前記利用者を管理者と特定した場合に、前記管理対象装置の利用を停止する利用停止情報を前記管理対象装置へ送信する利用停止情報送信手段と、をさらに備え、前記管理対象装置は、前記入退場管理装置から前記利用停止情報を受信する利用停止情報受信手段と、前記利用停止情報を受信した場合に、前記管理対象装置が利用不可能となるように制御する利用不可能制御手段と、を備える。
【００１６】
上記のように構成された管理システムにおいて、入退場管理装置は、退場の際に情報記憶媒体から読み取った識別情報と、管理権限識別情報とが一致した場合、退場する利用者は管理権限を有すると判断し、施設内の管理対象装置の利用を停止する利用停止情報を管理対象装置へ送信する。管理対象装置は、入退場管理装置から利用停止情報を受信すると、管理対象装置を利用不可能な状態となるように制御する。これによれば、管理者が施設から退場した場合、自動的に管理対象装置が利用不可能となる。よって、管理対象装置を利用不可能とするための特別な操作を行う必要がなくなり、管理者の負担を軽減させることができる。換言すると、管理者の手を煩わせることなく、簡易に、管理者が室内にいる間だけ自動的に管理対象装置の利用が可能となる。
【００１７】
上記管理システムの他の一態様では、前記管理権限情報記憶手段は、前記管理権限識別情報と、前記管理者のレベルとを対応付けて記憶しており、前記入退場管理装置は、前記管理者のレベルと、前記管理対象装置において利用を許可する許可範囲とを対応づけた許可範囲情報を記憶する許可範囲情報記憶手段と、前記管理者特定手段が前記利用者を管理者と特定した場合に、一致した識別情報に基づいて前記管理権限情報を参照することで、前記管理者のレベルを特定するレベル特定手段と、前記レベル特定手段が特定した管理者のレベルに基づいて前記許可範囲情報を参照することで、前記許可範囲を特定する許可範囲特定手段と、をさらに備え、前記利用許可情報送信手段は、前記許可範囲特定手段が特定した許可範囲内での利用を許可する利用許可情報を前記管理対象装置へ送信する。
【００１８】
上記のように構成された管理システムにおいて、入退場管理装置は、予め管理権限情報として、管理権限識別情報及び管理者のレベルを対応付けて記憶している。ここで、管理者のレベルとは、例えば役職等である。また、入退場管理装置は、予め許可範囲情報として、管理者のレベル及び管理対象装置において利用を許可する範囲を対応付けて記憶している。具体的には、例えば部長レベルであれば施設内に設置された全ての電子機器の利用が可能となり、課長レベルであれば施設内に設置された一部の電子機器のみ利用が可能となる等、管理者のレベルに応じて利用を許可する電子機器の種類や数が変化することが考えられる。入退場管理装置は、入場の際に読み取った識別情報に基づいて、利用者が管理者権限を有すると判断すると、管理者権限情報を参照して当該利用者の管理者レベルを特定する。また、入退場管理装置は、特定した管理者レベルに基づいて許可範囲情報を参照することにより、管理対象装置において利用を許可する許可範囲を特定する。そして、入退場管理装置は、特定した許可範囲内での利用を許可する利用許可情報を管理対象装置へ送信する。管理対象装置は、受信した利用許可情報に基づいて許可範囲に応じて管理対象装置の利用を可能とする。このように本発明では、入室する管理者のレベルに応じて、管理対象装置の利用できる範囲を自由に設定することができる。よって、入室する管理者のレベルに応じて、自動的に許可範囲内の管理対象装置のみを利用可能とすることができる。
【００１９】
上記管理システムのさらに他の一態様では、前記管理対象装置は、前記利用停止情報受信手段が前記利用停止情報を受信した場合に、その時点で前記管理対象装置が利用されているか否かを判定する利用判定手段と、前記利用判定手段により前記管理対象装置が利用されていると判定された場合に、前記管理対象装置が利用されていることを示す利用中情報を前記入退場管理装置へ送信する利用中情報送信手段と、をさらに備え、前記入退場管理装置は、前記管理対象装置から前記利用中情報を受信する利用中情報受信手段と、前記利用中情報を受信した場合に、前記退場管理者特定手段が管理者と特定した利用者の前記施設からの退場を不可能とする退場制御手段と、をさらに備え、前記利用不可能制御手段は、前記停止情報を受信した場合であって、前記利用判定手段により前記管理対象装置が利用されていないと判定された場合に、前記管理対象装置が利用不可能となるように制御する。
【００２０】
上記のように構成された管理システムにおいて、管理対象装置は、入退場管理装置から利用停止情報を受信した際に、当該管理対象装置が利用されているか否かを判定する。管理対象装置が利用されている場合、管理対象装置は、利用中情報を送信する。利用中情報を受信した場合、入退場管理装置は、管理権限を有する利用者が施設から退場できないように、ドアを開けない等の制御を行う。一方、管理対象装置が利用されていない場合、管理対象装置は、利用停止情報に基づいて利用不可能となるように制御する。これによれば、管理権限を有さない利用者の利用中に管理対象装置が突然停止することや、管理者が施設内にいないにも関わらず管理権限を有さない利用者が管理対象装置を利用すること等の問題を解消することができる。
【００２１】
本発明の別の観点では、利用者が所持する情報記憶媒体を使用して、施設内に設置された管理対象装置の利用を管理するサーバであって、前記管理対象装置及び前記利用者による前記施設への入退場を管理する入退場管理装置とネットワークを介して通信可能に接続されており、入場を許可する利用者を示す識別情報である入場権限識別情報を記憶する入場権限情報記憶手段と、管理者である利用者を示す識別情報である管理権限識別情報を記憶する管理権限情報記憶手段と、前記入退場管理装置から、入場の際に前記情報記憶媒体から読み取った前記識別情報を取得する入場識別情報取得手段と、前記入場識別情報取得手段が取得した識別情報と、前記入場権限識別情報とを照合し、一致した場合に前記利用者の前記施設への入場を可能とする入場可能情報を前記入退場管理装置へ送信する入場可能情報送信手段と、前記入場識別情報取得手段が取得した識別情報と、前記管理権限識別情報とを照合し、一致した場合に前記利用者を管理者と特定する入場管理者特定手段と、前記入場管理者特定手段が前記利用者を管理者と特定した場合に、前記管理対象装置が利用可能となるように制御する利用可能制御手段と、を備える。
【００２２】
上記のように構成されたサーバにおいて、入退場管理装置は、利用者が施設に入退場する際に、利用者が所持する情報記憶媒体から識別情報を読み取る。情報記憶媒体には、各利用者を識別する識別情報が記憶されている。入退場管理装置は、情報記憶媒体から読み取った識別情報を、ネットワークを介してサーバへ送信する。なお、サーバは、施設へ入場することができる入場権限を有する利用者の識別情報である入場権限識別情報と、管理対象装置を管理することができる管理権限を有する利用者の識別情報である管理権限識別情報とを予め記憶している。そのため、サーバは、入退場管理装置から受信した識別情報と、入場権限識別情報とが一致した場合、利用者は入場権限を有すると判断し、入場を可能とする入場可能情報を入退場管理装置へ送信する。入場可能情報を受信した入退場管理装置は、自動ドアを開ける等により、利用者の施設内への入場を許可する。さらに、サーバは、入退場管理装置から受信した識別情報と、管理権限識別情報とが一致した場合、利用者は管理権限を有すると判断し、施設内の管理対象装置の利用を許可する利用許可情報を管理対象装置へ送信する。管理対象装置は、入退場管理装置から利用許可情報を受信すると、管理対象装置を利用可能な状態となるように制御する。これによれば、管理者が施設に入場した場合、自動的に管理対象装置が利用可能となる。よって、管理対象装置を利用可能とするための特別な操作を行う必要がなくなり、管理者の負担を軽減させることができる。
【００２３】
本発明のさらに別の観点では、利用者が所持する情報記憶媒体を使用して、施設内に設置された管理対象装置の利用を管理するコンピュータにより実行されるプログラムであって、前記管理対象装置及び前記利用者による前記施設への入退場を管理する入退場管理装置とネットワークを介して通信可能に接続されており、入場を許可する利用者を示す識別情報である入場権限識別情報を記憶する入場権限情報記憶手段、管理者である利用者を示す識別情報である管理権限識別情報を記憶する管理権限情報記憶手段、前記入退場管理装置から、入場の際に前記情報記憶媒体から読み取った前記識別情報を取得する入場識別情報取得手段、前記入場識別情報取得手段が取得した識別情報と、前記入場権限識別情報とを照合し、一致した場合に前記利用者の前記施設への入場を可能とする入場可能情報を前記入退場管理装置へ送信する入場可能情報送信手段、前記入場識別情報取得手段が取得した識別情報と、前記管理権限識別情報とを照合し、一致した場合に前記利用者を管理者と特定する入場管理者特定手段、前記入場管理者特定手段が前記利用者を管理者と特定した場合に、前記管理対象装置が利用可能となるように制御する利用可能制御手段、として前記コンピュータを機能させる。
【００２４】
上記プログラムをコンピュータにより実行することにより、上述のサーバを実現することができる。また、上述のサーバの各態様も同様に実現することができる。
【発明の効果】
【００２５】
本発明によれば、情報記憶媒体を使用して、管理者の手を煩わせることなく、簡易に、管理者が室内にいる間だけ自動的に電子機器や設備の利用が可能となる。
【発明を実施するための最良の形態】
【００２６】
以下、図面を参照して本発明の好適な実施の形態について説明する。
【００２７】
本発明は、情報記憶媒体を使用して、管理者の手を煩わせることなく、施設内に備えられた管理対象物の利用を管理するものである。
【００２８】
本実施形態において電子機器の利用を管理する管理システムの概要を図１に示す。なお、本発明における施設とは、例えば、部屋、ビル、ビル内のフロア、特定場所、特定エリア、特定領域、特定地域、などが含まれるが、本実施形態の説明においては、一例として電子機器が備えられている部屋について説明する。
【００２９】
部屋４の内部に備えられた電子機器であるスキャナー５０は、室内に電子機器の管理権限を有する管理者１がいる間のみ、オペレータ２が利用することが可能となる。管理者１は、部屋４への入室権限及びスキャナー５０の管理権限を有しており、情報記憶媒体である非接触ＩＣカード３ａを所持している。一方、オペレータ２は、部屋４への入室権限を有しており、情報記憶媒体である非接触ＩＣカード３ｂを所持している。なお、非接触ＩＣカード３とは、非接触ＩＣカード３ａ及び３ｂの双方を含むものとする。
【００３０】
この部屋４の入口５ａの近傍には、入室管理装置６が備えられ、この入室管理装置６により入口５ａに備えられている自動ドア７の開閉状態がコントロールされている。入室管理装置６は、非接触ＩＣカード３との間で無線により情報の伝送が行えるように構成され、非接触ＩＣカード３に記憶されている情報の読み取りが可能である。さらに、この部屋４の出口５ｂの近傍には、退室管理装置１０が備えられ、この退室管理装置１０により自動ドア７の開閉状態がコントロールされている。また、退室管理装置１０は、非接触ＩＣカード３との間で無線により情報の伝送が行えるように構成され、非接触ＩＣカード３に記憶されている情報の読み取りが可能である。つまり、本実施形態では、入退室のアクセス制御として非接触ＩＣカード３を使用している。
【００３１】
入室管理装置６及び退室管理装置１０は、ネットワーク６０を介してスキャナー５０及びサーバ７０と通信可能に接続されている。サーバ７０は、入室管理装置６及び退室管理装置１０から受信する情報に基づいて、スキャナー５０の利用状態を制御する装置である。
【００３２】
なお、部屋４には、入口５ａと出口５ｂを別々に設ける場合と、入口５ａと出口５ｂを１つにして出入口とする場合とがあるが、図１には、１つの出入口を用いた場合が示されている。また、入室管理装置６と退室管理装置１０を一体型に構成した入退室管理装置とし、部屋の外部と内部を隔てる壁の一部に設けるようにしてもよい。ここで、入退室管理装置とは、例えば、非接触ＩＣカード３から情報を読み取ることができるＩＣカードリーダライタ等である。
【００３３】
情報記憶媒体である非接触ＩＣカード３は、例えば、図２乃至図４に示すように、カード基材３０及び３１の内部に非接触ＩＣタグ８が内蔵された構成を有している。非接触ＩＣタグ８は、例えば、非接触データキャリアやＲＦＩＤともいわれ、図４に示すように、プラスチック等の基材８１にコイルパターンからなる送受信部８８が形成されている。非接触ＩＣタグ８は、コイルと容量素子とにより共振回路を形成して一定周波数の電波を受信及び送信する。また、他の方式として、リーダライタからの搬送波の電磁誘導により電力伝送及びデータ伝送を行うようにしてもよい。一般的には、１３５ｋＨｚ（中波）、１３．５６ＭＨｚ、２．４５ＧＨｚ（マイクロ波）の周波数帯が使用される。
【００３４】
図示した例の場合、コイルパターンからなる送受信部８８は、導通部材８４により基材８１の裏面でジャンピング回路を形成し、コイル接続端子８８ＣによりＩＣチップ８２の裏面のバンプに接続している。ＩＣチップ８２には、ＣＰＵである制御部８９と、メモリである記憶部９０とが備えられている。
【００３５】
図示した例では、容量素子はＩＣチップ８２に内蔵されている。このような非接触ＩＣタグ８は、樹脂基材にラミネートしたアルミ箔等の金属箔をフォトエッチングやレジスト印刷後のエッチングすることによりコイルパターンを形成し、ＩＣチップ８２を装着し、保護用の被覆を設けることにより形成される。その大きさも３０ｍｍ×３０ｍｍ程度以下のサイズとすることができる。
【００３６】
非接触ＩＣタグ８に使用する樹脂基材８１としては、ＰＥＴやポリプロピレン、ポリエチレン、ポリスチレン、ナイロン等の各種材料を使用することができ、紙であってもよい。厚みは１５〜３００μｍとすることができるが、強度、加工作業性、コスト等の点から２０〜１００μｍがより好ましい。金属箔としては銅箔やアルミ箔あるいは鉄箔を使用できるが、コスト、加工性からアルミ箔が好ましく、その厚みは６〜５０μｍ程度が好ましい。
【００３７】
これらの非接触ＩＣタグ８に記録した情報の読み取りや情報の書き込みは、ＩＣカードリーダライタから非接触ＩＣタグ８に対して共振する呼び出し信号を発信し、数ｃｍから数十ｃｍの距離で非接触ＩＣタグ８からの応答信号を読み取る。これにより、非接触ＩＣタグ８のＩＣチップ８２の記憶部であるメモリに記録された情報を読み取ったり、情報を書き込んだりすることができる。また、ＩＣチップ８２の記憶部であるメモリには、本人であることを認証するためのＩＤ情報（識別情報）が予め登録されている。
【００３８】
次に、図５の機能ブロック図を参照し、システム構成を詳細に説明する。図５には、非接触ＩＣカード３、入退室管理装置、スキャナー５０及びサーバ７０を含むシステム構成が示されている。入退室管理装置、スキャナー５０及びサーバ７０は、ネットワーク６０を介して通信可能に接続されている。ネットワーク６０の１つの好適な例はインターネットであるが、データの授受が可能であれば有線、無線を問わない。
【００３９】
なお、図５のブロック図における、入退室管理装置は、図１における入室管理装置６及び退室管理装置１０を一体型に構成した装置である。また、本実施形態において、各部屋の管理者は１名、オペレータは複数名であるものとする。
【００４０】
出入口５の近傍に設けられた入退室管理装置は、送受信部１１、権限判定部１２、ドア開閉部１３、記憶部１４、通信部１５及び制御部１６を有している。各部は、制御部１６により制御される。
【００４１】
送受信部１１は、非接触ＩＣカード３の送受信部８８と無線による情報の送受信を行う。
【００４２】
権限判定部１２は、入退室の際に非接触ＩＣカード３から受信した識別情報と、予め記憶部１４に記憶されている権限テーブルとに基づいて、当該非接触ＩＣカードを所持する者が入室権限を有しているか否かを判定する。また、権限判定部１２は、入退室の際に非接触ＩＣカード３から受信した識別情報と、予め記憶部１４に記憶されている権限テーブルとに基づいて、非接触ＩＣカードを所持する者が管理権限を有しているか否かを判定する。
【００４３】
ここで、図６を参照して、記憶部１４に記憶されている権限テーブルについて説明する。図６は、権限テーブルのデータ構造を模式的に示す図である。なお、本実施形態において非接触ＩＣカード３には、識別情報として社員ＩＤが含まれているものとする。
【００４４】
権限テーブルは、図示のように、社員ＩＤ、入室権限、管理権限及び役職の項目から構成されている。社員ＩＤは、管理者やオペレータといった各利用者を識別する情報である。入室権限は、部屋４に入室することができる権限であり、権限テーブルでは、入室権限を持つ社員ＩＤに対応する入室権限項目に丸（○）が格納される。管理権限は、部屋４内のスキャナー５０を管理することができる権限であり、権限テーブルでは、管理権限を持つ社員ＩＤに対応する管理権限項目に丸（○）が格納される。管理権限を有する管理者が部屋４内にいる間のみ、オペレータはスキャナー５０を利用することができる。役職は、管理者のレベルを示す情報であり、権限テーブルでは、管理権限を持つ社員ＩＤに対応する役職項目に「部長」や「課長」といった役職名が格納される。権限判定部１２は、非接触ＩＣカードから読み取った識別情報、即ち社員ＩＤに基づいて権限テーブルを参照することにより、当該非接触ＩＣカードを所持する者が入室権限及び／又は管理権限を有しているか否かを容易に判定することができる。
【００４５】
権限判定部１２による処理により、入退室の際、非接触ＩＣカードを所持する者が入室権限を有していると判定された場合、ドア開閉部１３が自動ドア７を開く。また、権限判定部１２による処理により、入室の際、非接触ＩＣカードを所持する者が管理権限を有していると判定された場合、通信部１５を介して、サーバ７０に利用許可情報を送信する。利用許可情報とは、部屋４内のスキャナー５０を利用可能な状態にすることを求める情報である。一方、権限判定部１２による処理により、退室の際、非接触ＩＣカードを所持する者が管理権限を有していると判定された場合、通信部１５を介して、サーバ７０に利用停止情報を送信する。利用停止情報とは、部屋４内のスキャナー５０を利用停止の状態にすることを求める情報である。
【００４６】
なお、本実施形態では、記憶部１５に記憶される権限テーブルのデータ構造を図６に示すようにしているが、本発明はこれに限定されるものではなく、非接触ＩＣカード３から読み取った識別情報に基づいて入室権限及び管理権限の有無が判定できれば、データ構造は任意に設定することができるものとする。
【００４７】
サーバ７０は、利用判定部２１、スキャナーロック制御部２２、通信部２３及び制御部２４を有している。各部は、制御部２４により制御される。
【００４８】
利用判定部２１は、スキャナー５０を利用可能な状態にするか又は利用停止の状態にするかを判定する。具体的に、利用判定部２１は、通信部２３を介して入退室管理装置から利用許可情報を受信した場合に、スキャナー５０を利用可能な状態にすると判定する。また、利用判定部２１は、通信部２３を介して入退室管理装置から利用停止情報を受信した場合に、スキャナー５０を利用停止の状態にすると判定する。
【００４９】
スキャナーロック制御部２２は、通信部２３を介して所定の信号を送信することにより、スキャナー５０の利用状態を制御する。具体的に、利用判定部２１がスキャナー５０を利用可能な状態にすると判定した場合、スキャナーロック制御部２２は、スキャナー５０のロックを解除し、利用可能な状態に制御する。一方、利用判定部２１がスキャナー５０を利用停止の状態にすると判定した場合、スキャナーロック制御部２２は、スキャナー５０のロックを行い、利用不可能な状態に制御する。
【００５０】
以上の構成を有する本実施形態においては、部屋４が施設に相当し、入退室管理装置が入退場管理装置として機能する。また、スキャナー５０が管理対象装置として機能する。
【００５１】
次に、上述の管理システムによる入室処理について図７を参照して説明する。図７は、入室処理のフローチャートである。
【００５２】
まず、入室が管理された施設である部屋４に入室する際、利用者である管理者又はオペレータは、部屋４の入口から入室するために、情報記憶媒体である非接触ＩＣカード３を入退室管理装置に近づける。この際、入退室管理装置は、非接触ＩＣカード３の記憶部９０に記憶されている社員ＩＤを読み取る（ステップＳ１）。入退室管理装置の権限判定部１２は、読み取られた社員ＩＤと、入退室管理装置の記憶部１４に予め登録されている権限テーブルとに基づいて、非接触ＩＣカード３を所持する者が入室権限を有しているか否かを判定する（ステップＳ２）。入室権限を有していない場合（ステップＳ２；Ｎｏ）、自動ドア７を開くことなく処理は終了する。一方、入室権限を有している場合（ステップＳ２；Ｙｅｓ）、権限判定部１２は、さらに非接触ＩＣカード３を所持する者が管理権限を有しているか否かを判定する（ステップＳ３）。管理権限を有していない場合（ステップＳ３；Ｎｏ）、処理はステップＳ５へ進む。一方、管理権限を有している場合（ステップＳ３；Ｙｅｓ）、通信部１５を介してサーバ７０に利用許可情報を送信する（ステップＳ４）。そして、ドア開閉部１３は、自動ドア７を開き、入室権限を有する管理者又はオペレータが部屋４に入室可能な状態とする（ステップＳ５）。これにより、入室処理は完了する。
【００５３】
一方、サーバ７０は、通信部２３を介して、入退室管理装置から利用許可情報を受信する。利用許可情報を受信すると、利用判定部２１は、スキャナー５０を利用可能な状態とすると判定する。そして、スキャナーロック制御部２２により、スキャナー５０のロックを解除し、利用可能な状態とする。これにより、部屋４内に管理者が入室した場合、管理者が特別な対応をすることなく、自動的にスキャナー５０の利用が可能となる。
【００５４】
次に、上述の管理システムによる退室処理について図８を参照して説明する。図８は、退室処理のフローチャートである。
【００５５】
部屋４から退場する際、利用者である管理者又はオペレータは、部屋４の出口から退室するために、情報記憶媒体である非接触ＩＣカード３を入退室管理装置に近づける。この際、入退室管理装置は、非接触ＩＣカード３の記憶部９０に記憶されている社員ＩＤを読み取る（ステップＳ１１）。入退室管理装置の権限判定部１２は、読み取られた社員ＩＤと、入退室管理装置の記憶部１４に予め登録されている権限テーブルとに基づいて、非接触ＩＣカード３を所持する者が管理権限を有しているか否かを判定する（ステップＳ１２）。管理権限を有していない場合（ステップＳ１２；Ｎｏ）、処理はステップＳ１４へ進む。一方、管理権限を有している場合（ステップＳ１２；Ｙｅｓ）、通信部１５を介してサーバ７０に利用停止情報を送信する（ステップＳ１３）。そして、ドア開閉部１３は、自動ドア７を開き、管理者又はオペレータが部屋４から退室可能な状態とする（ステップＳ１４）。これにより、退室処理は完了する。
【００５６】
一方、サーバ７０は、通信部２３を介して、入退室管理装置から利用停止情報を受信する。利用停止情報を受信すると、利用判定部２１は、スキャナー５０のロックを行い、利用不可能な状態とする。これにより、部屋４から管理者が退室した場合、管理者が特別な対応をすることなく、自動的にスキャナーの利用が停止される。
【００５７】
なお、本実施形態では、非接触ＩＣカード３を利用することとしているが、本発明はこれに限定されるものではなく、情報記憶媒体を装着した携帯電話を利用することとしてもよい。つまり、本発明では、入退室のアクセス制御として利用可能であれば任意の可般記憶媒体を適用することができる。
【００５８】
また、本実施形態では、非接触ＩＣカード３は識別情報のみを有しており、入退室管理装置が、読み取った識別情報に基づいて権限テーブルを参照することで、入室権限及び管理権限の有無を判定することとしている。しかし、本発明はこれに限定されるものではなく、サーバ７０が予め権限テーブルを有しており、入退室管理装置が非接触ＩＣカード３から読み取った識別情報に基づいて、サーバ７０が入室権限及び管理権限の有無を判定することとしてもよい。さらに、非接触ＩＣカード３が、入室権限及び管理権限の有無を示す情報を有していることとしてもよい。具体的には、管理者が有する非接触ＩＣカード３ａには、入室権限及び管理権限があることを示す情報（フラグ等）が含まれており、オペレータが有する非接触ＩＣカード３ｂには、入室権限があることを示す情報が含まれていることになる。この場合、入退室管理装置は予め権限テーブルを登録する必要はなく、非接触ＩＣカードから読み取った情報に基づいて入室権限及び管理権限の有無を判定する。
【００５９】
また、本実施形態では、管理システムの構成要素としてサーバ７０が含まれており、サーバ７０がスキャナー５０の利用状態を制御している。そのため、本発明は、例えばプリンタやロッカー等スキャナー５０以外のあらゆる電子機器又は設備を管理対象装置として適用することができる。しかし、本発明はこれに限定されるものではなく、管理システムの構成要素としてサーバ７０が含まれていないこととしてもよい。この場合、入退室管理装置は、利用許可情報及び利用停止情報を、ネットワーク６０を介して直接スキャナー５０といった管理対象装置に送信する。管理対象装置は、入退室管理装置から利用許可情報を受信した場合、自身を利用可能な状態に制御すればよい。一方、入退室管理装置から利用停止情報を受信した場合、管理対象装置は、自身を利用不可能な状態に制御すればよい。
【００６０】
このように、本発明によれば、管理者が入室しているという情報が、自動的に入退室管理装置を経由して部屋４内の電子機器や設備に送信されるため、部屋４内の電子機器等をオペレータが利用可能とするための動作を行うという管理者の負担を軽減させることができる。
【００６１】
[第１変形例]
なお、上記実施形態では、各部屋の管理者を１人としているが、本発明はこれに限定されるものではなく、各部屋に複数の管理者が出入することとしてもよい。この場合、入退室管理装置は、管理権限を有する者が入室した際に、記憶部１４に当該管理者の社員ＩＤを記憶しておく。また、入退室管理装置は、管理権限を有する者が退室した際に、記憶部１４に記憶された当該管理者の社員ＩＤを消去する。そして、入退室管理装置は、記憶部１４を参照し、全ての管理者が部屋４から退室した場合、即ち部屋４に管理者が１人もいない場合に、利用停止情報をサーバ７０へ送信する。
【００６２】
また、各部屋に複数の管理者が出入する場合、管理者のレベルに応じて部屋４内に設置された電子機器等の利用の許可範囲を制限することとしてもよい。管理者のレベルとは、例えば「部長」や「課長」といった役職である。この場合、入退室管理装置の記憶部１４には、管理者のレベルと、電子機器等の許可範囲とが対応付けられた許可範囲テーブルが予め登録されている。
【００６３】
ここで、図９を参照し、許可範囲テーブルについて説明する。図９は、許可範囲テーブルのデータ構造を模式的に示す図である。図示のように、許可範囲テーブルは、管理者レベル、ロッカー、ＰＣ、スキャナー等の項目から構成されている。管理者レベルは、管理者のレベルを示す情報であり、上記実施形態における役職等である。ロッカー、ＰＣ、スキャナーは、部屋４内の電子機器や設備であり、許可範囲テーブルでは、対応する管理レベルの管理者が入室した場合に利用が許可される電子機器の項目に丸（○）が格納される。
【００６４】
入退室管理装置の権限判定部１２は、非接触ＩＣカード３から読み取った社員ＩＤに基づいて図６に示すような権限テーブルを参照することにより、管理権限の有無を判定すると共に、管理者のレベルを特定する。さらに、入退室管理装置は、非接触ＩＣカード３を携帯する者が管理権限を有すると判定した場合、特定した管理者のレベルに基づいて図９に示すような許可範囲テーブルを参照することで、部屋４内において利用が許可される電子機器、即ち部屋４内の電子機器等の許可範囲を特定する。そして、入退室管理装置は、特定した許可範囲を含む利用許可情報をサーバ７０へ送信する。サーバ７０は、利用許可情報を受信すると、当該利用許可情報に含まれる許可範囲における電子機器等の利用を可能とする。
【００６５】
具体的に、管理者のレベルに応じた許可範囲の例としては、部長レベルであれば部屋４内に設置された全ての電子機器の利用が可能となり、課長レベルであれば部屋４内に設置された一部の電子機器のみ利用が可能となる等、管理者のレベルに応じて利用できる電子機器の種類や数が変化することが考えられる。また、部長レベルであれば部屋４内に設置された電子機器において大口生産アプリケーション及び小口生産アプリケーションの双方を実行することが可能となり、課長レベルであれば小口生産アプリケーションのみを実行することが可能となる等、管理者のレベルに応じて利用できるアプリケーションの種類や数が変化することが考えられる。
【００６６】
なお、本変形例では、図９に示すような許可範囲テーブルを使用することとしているが、本発明はこれに限定されるものではなく、管理者レベルと、部屋４内の電子機器等の許可範囲とを対応付けたものであれば、その構成は任意とすることができる。そのため、所定のレベル以上の管理者が２人以上揃った場合に、また異なる許可範囲を設定することも可能である。
【００６７】
また、本変形例では別々のテーブルであるが、図６に示すような権限テーブルと、図９に示すような許可範囲テーブルとを１つのテーブルとしてもよい。
【００６８】
[第２変形例]
なお、上記実施形態では、管理者が部屋４を退室した場合、即座にスキャナー５０の利用が停止されることとしているが、本発明はこれに限定されるものではなく、スキャナー５０の利用を停止するタイミングは任意に設定することができる。
【００６９】
例えば、スキャナー５０が利用中の場合、管理者が入退室管理装置に非接触ＩＣカードをかざしても自動ドア７が開かないように設定することができる。この場合、サーバ７０は、入退室管理装置から利用停止情報を受信すると、通信部２３を介してスキャナー５０が利用中であるか否かを判定する。スキャナー５０が利用中であると判定した場合、サーバ７０は、通信部２３を介して入退室管理装置にスキャナー５０が利用中であることを示す利用中情報を送信する。入退室管理装置は、サーバ７０から利用中情報を受信すると、自動ドア７を開けないようにする。また、サーバ７０は、その後、スキャナー５０が利用中でないと判定した時点で、通信部２３を介して入退室管理装置にスキャナー５０が利用中ではないことを示す利用終了情報を送信する。入退室管理装置は、サーバ７０から利用終了情報を受信すると、自動ドア７を開け、管理者が部屋４から退室可能な状態とする。
【００７０】
これによれば、管理者は、オペレータに注意喚起等を行い、スキャナー５０が利用されていない状態にしてからでないと部屋４から退室することができない。よって、オペレータの利用中にスキャナー５０が突然停止することや、管理者が部屋４内にいないにも関わらずオペレータがスキャナー５０を利用すること等の問題を解消することができる。
【産業上の利用可能性】
【００７１】
本発明によれば、情報記憶媒体を使用して、管理者の手を煩わせることなく、簡易に、管理者が室内にいる間だけ自動的に電子機器や設備の利用が可能となる管理システムとして利用することができる。
【図面の簡単な説明】
【００７２】
【図１】管理システムの概要を説明する図である。
【図２】非接触ＩＣカードの平面図である。
【図３】図２のＡ−Ａ線による断面図である。
【図４】非接触ＩＣカードに内蔵されているＩＣタグの平面図である。
【図５】管理システムの機能ブロック図である。
【図６】権限テーブルのデータ構造を模式的に示す図である。
【図７】管理システムによる入室処理を示すフローチャートである。
【図８】管理システムによる退室処理を示すフローチャートである。
【図９】許可範囲テーブルのデータ構造を模式的に示す図である。
【符号の説明】
【００７３】
１…管理者
２…オペレータ
３…非接触ＩＣタグ
４…部屋
６…入室管理装置
１０…退室管理装置
５０…スキャナー
６０…ネットワーク
７０…サーバ
【図１】
2008046724.tif 000003
【図２】
2008046724.tif 000004
【図３】
2008046724.tif 000005
【図４】
2008046724.tif 000006
【図５】
2008046724.tif 000007
【図６】
2008046724.tif 000008
【図７】
2008046724.tif 000009
【図８】
2008046724.tif 000010
【図９】
2008046724.tif 000011